(57)【要約】【課題】  通信制御装置あるいは無線基地局の側から、移動局による位置登録要求信号の送信を自由に制御することが可能な移動通信システムの提供。【解決手段】  無線基地局１１１，１１２は、通信制御装置１０１からの制御により、制御チャネルの上り各スロットに群を割り付け、管理する。移動局１２１〜１２４が位置登録要求信号を送信する場合、移動局１２１〜１２４は固有のＩＤから予め定められた計算式により一意に決まる自身の所属群番号を算出し、その所属群番号と一致する群番号が割り付けられている制御チャネル上りスロットにて位置登録要求信号を無線基地局１１１，１１２へ送信する。【選択図】      図１
2007036635.tif 000002
【特許請求の範囲】
【請求項１】
通信制御装置と、前記通信制御装置と接続される１個または複数の無線基地局と、前記無線基地局と無線回線を介して接続される１個または複数の移動局とを含む移動通信システムであって、
前記無線基地局と前記移動局との間の無線回線には、少なくとも通信制御を行うための時分割スロット化された制御チャネルが設けられ、
前記無線基地局は、前記通信制御装置からの制御により、前記制御チャネルの上り各スロットに群を割り付け、管理する管理手段と、
割り付けた制御チャネルの上り各スロットの群番号を制御チャネル下りの報知信号にて前記移動局に報知する報知手段とを含み、
前記移動局は予め定められた所属群番号と一致する群番号が割り付けられている制御チャネル上りスロットにて位置登録要求信号を前記無線基地局へ送信する位置登録要求信号送信手段を含むことを特徴とする移動通信システム。
【請求項２】
前記移動局の所属群番号は前記移動局に固有のＩＤ(identification)から予め定められた計算式により算出されることを特徴とする請求項１記載の移動通信システム。
【請求項３】
前記制御チャネル上り各スロットの群番号の割り付けは、前記通信制御装置により任意のタイミングで変更が可能であることを特徴とする請求項１または２記載の移動通信システム。
【請求項４】
前記通信制御装置は、単位時間当たりの前記移動局からの位置登録要求信号の受信件数が、予め決められた規定値を超えた場合には、前記無線基地局の制御チャネル上り各スロットの群番号割り付け周期を広げる割り付け周期制御手段を含むことを特徴とする請求項１から３いずれかに記載の移動通信システム。
【請求項５】
通信制御装置と、前記通信制御装置と接続される１個または複数の無線基地局と、前記無線基地局と無線回線を介して接続される１個または複数の移動局とを含む移動通信システムの位置登録制御方法であって、
前記無線基地局と前記移動局との間の無線回線には、少なくとも通信制御を行うための時分割スロット化された制御チャネルが設けられ、
前記無線基地局は、前記通信制御装置からの制御により、前記制御チャネルの上り各スロットに群を割り付け、管理する管理ステップと、
割り付けた制御チャネルの上り各スロットの群番号を制御チャネル下りの報知信号にて前記移動局に報知する報知ステップとを含み、
前記移動局は予め定められた所属群番号と一致する群番号が割り付けられている制御チャネル上りスロットにて位置登録要求信号を前記無線基地局へ送信する位置登録要求信号送信ステップを含むことを特徴とする位置登録制御方法。
【請求項６】
前記移動局の所属群番号は前記移動局に固有のＩＤ(identification)から予め定められた計算式により算出されることを特徴とする請求項５記載の位置登録制御方法。
【請求項７】
前記制御チャネル上り各スロットの群番号の割り付けは、前記通信制御装置により任意のタイミングで変更が可能であることを特徴とする請求項５または６記載の位置登録制御方法。
【請求項８】
前記通信制御装置は、単位時間当たりの前記移動局からの位置登録要求信号の受信件数が、予め決められた規定値を超えた場合には、前記無線基地局の制御チャネル上り各スロットの群番号割り付け周期を広げる割り付け周期制御ステップを含むことを特徴とする請求項５から７いずれかに記載の位置登録制御方法。
【発明の詳細な説明】
【技術分野】
【０００１】
本発明は、移動通信システムおよびその位置登録制御方法に関し、特に複数の無線基地局により構成される無線ゾーンによって通信エリアを構成する移動通信システムおよびその位置登録制御方法に関する。
【背景技術】
【０００２】
従来の移動通信システムでは、移動局は制御チャネルの上り全スロットの中の任意のスロットを使用して位置登録要求信号を送信することが可能である。
【０００３】
このため、通信制御装置あるいは無線基地局の側から、移動局による位置登録要求信号の送信を自由に制御することは困難である。
【０００４】
移動局から送信される位置登録要求信号は、移動局の使用が集中する時間帯、つまり通信トラフィックの高い時間帯に集中して発生する。
【０００５】
この集中的な位置登録要求信号によるトラフィックが、制御チャネルや通信制御装置の処理負荷を一時的に高め、通信要求の接続処理など他の処理に影響を及ぼすことがある。
【０００６】
従来の移動通信システムにおいては、制御チャネル下りの報知信号内に設定可能な規制情報によって移動局からの位置登録要求信号の送信を規制すること、あるいは群単位で送信を規制することは可能だが、それ以上の自由な制御は困難である。
【０００７】
一方、制御チャネルおよび通信チャネルの使用効率を向上させる技術の一例が特許文献１に開示されている。これは、基地局が制御チャネルのスロットで下り信号を送信し、移動局が上り制御チャネルで位置登録信号を送信するというものである。
【０００８】
また、子機の呼出しを効率化する技術の一例が特許文献２に開示されている。これは無線中継局が子機端末を群分けし、子機端末の呼出しを着信群順に行うというものである。
【０００９】
また、無線チャネルの品質確保とチャネルの高効率化の両立を図る技術の一例が特許文献３に開示されている。これはタイムスロットを連続したタイムスロット群Ａ，Ｂ，Ｃに分け、これらのスロット群をセル毎のトラフィック変動に合わせて動的に可変するというものである。
【００１０】
【特許文献１】特開２０００−２９５６５４号公報（００２３，００２５、００２６、図５）
【特許文献２】特開２００１−０３６９５９号公報（００１８、図１）
【特許文献３】特開２００３−０３２７３４号公報（００４４、図２）
【発明の開示】
【発明が解決しようとする課題】
【００１１】
しかし、上述の特許文献１〜３のいずれにも通信制御装置あるいは無線基地局の側から、移動局による位置登録要求信号の送信を自由に制御する技術は開示されていない。
【００１２】
そこで本発明の目的は、通信制御装置あるいは無線基地局の側から、移動局による位置登録要求信号の送信を自由に制御することが可能な移動通信システムおよびその位置登録制御方法を提供することにある。
【課題を解決するための手段】
【００１３】
前記課題を解決するために本発明による移動通信システムは、通信制御装置と、前記通信制御装置と接続される１個または複数の無線基地局と、前記無線基地局と無線回線を介して接続される１個または複数の移動局とを含む移動通信システムであって、前記無線基地局と前記移動局との間の無線回線には、少なくとも通信制御を行うための時分割スロット化された制御チャネルが設けられ、前記無線基地局は、前記通信制御装置からの制御により、前記制御チャネルの上り各スロットに群を割り付け、管理する管理手段と、割り付けた制御チャネルの上り各スロットの群番号を制御チャネル下りの報知信号にて前記移動局に報知する報知手段とを含み、前記移動局は予め定められた所属群番号と一致する群番号が割り付けられている制御チャネル上りスロットにて位置登録要求信号を前記無線基地局へ送信する位置登録要求信号送信手段を含むことを特徴とする。
【００１４】
また、本発明による位置登録制御方法は、通信制御装置と、前記通信制御装置と接続される１個または複数の無線基地局と、前記無線基地局と無線回線を介して接続される１個または複数の移動局とを含む移動通信システムの位置登録制御方法であって、前記無線基地局と前記移動局との間の無線回線には、少なくとも通信制御を行うための時分割スロット化された制御チャネルが設けられ、前記無線基地局は、前記通信制御装置からの制御により、前記制御チャネルの上り各スロットに群を割り付け、管理する管理ステップと、割り付けた制御チャネルの上り各スロットの群番号を制御チャネル下りの報知信号にて前記移動局に報知する報知ステップとを含み、前記移動局は予め定められた所属群番号と一致する群番号が割り付けられている制御チャネル上りスロットにて位置登録要求信号を前記無線基地局へ送信する位置登録要求信号送信ステップを含むことを特徴とする。
【００１５】
本発明によれば、制御チャネルの上り各スロットに群が割り付けられ、移動局は予め定められた所属群番号と一致する群番号が割り付けられている制御チャネル上りスロットにて位置登録要求信号を無線基地局へ送信する。
【発明の効果】
【００１６】
本発明によれば、上記構成を含むため、通信制御装置あるいは無線基地局の側から、移動局による位置登録要求信号の送信を自由に制御することが可能となる。
【発明を実施するための最良の形態】
【００１７】
以下、本発明の実施例について添付図面を参照しながら説明する。図１は本発明に係る移動通信システムの最良の実施形態の構成図である。同図を参照すると、本発明に係る移動通信システムは、通信制御装置１０１と、この通信制御装置１０１と接続される１個または複数（本実施例では一例として２個）の無線基地局１１１，１１２と、これら無線基地局１１１，１１２と無線回線を介して接続される１個または複数（本実施例では一例として４個）の移動局１２１〜１２４とを含んで構成され、複数の無線基地局１１１，１１２により構成される図示しない無線ゾーンによって通信エリアが構成される。
【００１８】
それぞれの無線基地局１１１，１１２と移動局１２１〜１２４との間の無線回線には、主として通信制御を行うための制御チャネルと、通信を行うための通信チャネルが存在する。
【００１９】
制御チャネルは時分割スロット化され、スロット毎に任意の移動局との通信制御信号を送受信する。
【００２０】
移動局１２１〜１２４は無線基地局１１１または１１２から送信される制御チャネルを最初に受信した時に、位置登録要求信号を無線基地局１１１または１１２に送信する。
【００２１】
この位置登録要求信号は通信制御装置１０１に中継され、通信制御装置１０１は移動局１２１〜１２４の最新の在圏無線ゾーンを記憶する。
【００２２】
次に、本発明に係る移動通信システムの位置登録制御方法について説明する。
【実施例１】
【００２３】
図２は本発明に係る移動通信システムの位置登録制御方法の手順を示すフローチャート、図３は同システムにおける制御チャネルの下りおよび上りスロットの構成の一例を示す図である。
【００２４】
図２を参照すると、無線基地局１１１，１１２は、通信制御装置１０１からの制御により、制御チャネルの上り各スロットに群を割り付け、管理する（ステップＳ１）。
【００２５】
すなわち、図３の制御チャネルの上りスロットに示すように、各スロットに群番号を割り付ける。図３の例では、各スロットに「群０」から「群ｎ」（ｎは正の整数）までの群番号を繰り返し割り付けている。
【００２６】
次に、無線基地局１１１，１１２は、通信制御装置１０１からの制御により、割り付けた制御チャネルの上り各スロットの群番号を制御チャネル下りの報知信号にて各移動局１２１〜１２４に報知する（ステップＳ２）。
【００２７】
すなわち、図３を参照すると、制御チャネルの下りスロットの報知信号にて、制御チャネルの上り各スロットの群番号を各移動局１２１〜１２４に報知する。
【００２８】
ここで移動局１２１〜１２４が位置登録要求信号を送信する場合（ステップＳ３にて“ＹＥＳ”の場合）、移動局１２１〜１２４は固有のＩＤ(identification)から予め定められた計算式により一意に決まる自身の所属群番号を算出する（ステップＳ４）。
【００２９】
そして、計算により決定した所属群番号と一致する群番号が割り付けられている制御チャネル上りスロットにて位置登録要求信号を無線基地局１１１，１１２へ送信する（ステップＳ５）。
【００３０】
無線基地局１１１，１１２は受信した位置登録要求信号を通信制御装置１０１へ送信する（ステップＳ６）。
【００３１】
一方、ステップＳ３にて“ＮＯ”の場合、ステップＳ３で待機する。
【００３２】
以上説明したように、本発明の第１実施例によれば、制御チャネルの上り各スロットに群を割り付け、移動局が自身の所属群番号のスロットで位置登録要求信号を送信することにより、通信制御装置あるいは無線基地局の側から、移動局による位置登録要求信号の送信を自由に制御することが可能となる。
【００３３】
換言すれば、通信制御装置が位置登録要求の発生を制御することが可能となり、結果として通信制御装置が主体的にトラフィックを制御することが可能となる。
【実施例２】
【００３４】
制御チャネル上り各スロットの群番号は、任意に割り付けることが可能である。図４〜図７は本発明に係る移動通信システムにおける制御チャネルの下りおよび上りスロットの構成の他の例を示す図である。
【００３５】
図４は制御チャネル上りスロットの一つおきに「群０」から「群ｎ」までの群番号を繰り返し割り付ける一例を示している。
【００３６】
図５は制御チャネル上り各スロットに同じ群番号が２つずつ連続するように繰り返し割り付ける一例を示している。
【００３７】
図６は制御チャネル上り各スロットに同じ群番号が任意の個数ずつ連続するように繰り返し割り付ける一例を示している。
【００３８】
図７は制御チャネル上り各スロットに「群０」から「群ｎ」までの群番号を無作為な順序で割り付ける一例を示している。
【００３９】
通信制御装置１０１は、各無線基地局１１１，１１２に対して、それぞれの制御チャネル上り各スロットの群番号の割り付け方を任意のタイミングで変更することが可能である。たとえば、図３の制御チャネルの上り各スロットの群番号の割り付けから、あるタイミングで図４〜図７のいずれかに示す割り付けに変更することが可能である。
【００４０】
通信制御装置１０１が無線基地局１１１あるいは１１２の制御チャネル上り各スロットの群番号の割り付け変更を決定し、その無線基地局に対し群番号の割り付け変更の制御を行った場合には、同時に、その無線基地局の制御チャネル下りの報知信号で各移動局に報知する制御チャネル上り各スロットの群番号を、通信制御装置１０１から変更制御された最新の群番号に変更して移動局に報知する。
【００４１】
一例として、単位時間当たりの移動局からの位置登録要求信号の受信件数が、通信制御装置１０１において予め決められた規定値を超えた場合には、通信制御装置１０１が各無線基地局１１１，１１２の制御チャネル上り各スロットの群番号割り付け周期を広げ、通信制御装置１０１における単位時間当たりの移動局からの位置登録要求信号の受信件数を減少させる制御を行う。
【００４２】
以上説明したように、本発明の第２実施例によれば、通信制御装置が各無線基地局を介して制御する制御チャネル上り各スロットの群番号割り付けを必要により変更することによって、移動局が送信してくる位置登録要求信号による通信トラフィックを通信制御装置の都合により制御することが可能となる。
【００４３】
たとえば、移動局からの位置登録要求が集中し、単位時間当たりの位置登録要求の送信件数が通信制御装置で処理可能な件数を上回る状況が発生した場合には、制御チャネル上り各スロットの群番号割り付け周期を広げることにより、単位時間当たりの移動局からの位置登録要求件数を減少させ、通信制御装置における位置登録処理の負荷を一定量以下に制御することが可能となる。
【００４４】
またたとえば、本発明により、任意のタイミングで任意の群毎に位置登録要求を許可したり、禁止したり、あるいはある群の位置登録要求を集中的に受け付け許可したりするような制御を行うことが可能となる。
【図面の簡単な説明】
【００４５】
【図１】本発明に係る移動通信システムの最良の実施形態の構成図である。
【図２】本発明に係る移動通信システムの位置登録制御方法の手順を示すフローチャートである。
【図３】同システムにおける制御チャネルの下りおよび上りスロットの構成の一例を示す図である。
【図４】本発明に係る移動通信システムにおける制御チャネルの下りおよび上りスロットの構成の他の例を示す図である。
【図５】本発明に係る移動通信システムにおける制御チャネルの下りおよび上りスロットの構成の他の例を示す図である。
【図６】本発明に係る移動通信システムにおける制御チャネルの下りおよび上りスロットの構成の他の例を示す図である。
【図７】本発明に係る移動通信システムにおける制御チャネルの下りおよび上りスロットの構成の他の例を示す図である。
【符号の説明】
【００４６】
１０１  通信制御装置
１１１，１１２  無線基地局
１２１〜１２４  移動局
【図１】
2007036635.tif 000003
【図２】
2007036635.tif 000004
【図３】
2007036635.tif 000005
【図４】
2007036635.tif 000006
【図５】
2007036635.tif 000007
【図６】
2007036635.tif 000008
【図７】
2007036635.tif 000009